(57)【要約】【課題】設置作業が容易で、施工費を安くでき、構造的に堅固な階段を提供する。【解決手段】複数段に配置される段板１を左右の金属製ササラ桁２，２によって両側から挟むように固定してなる階段において、ナット３と、段板受け金具５とを備え、ナット３を各ササラ桁２の内側面２ａの段板取付箇所に固着し、少なくとも、段板受け金具５の下板６の一側端面６ａをササラ桁２の内側面２ａに当接させ且つ立板７の外側面７ａをナット３の内側面３ｂに当接させた状態で、立板７のボルト挿通孔９からナット３のネジ孔４にボルト１０をねじ込むことにより段板受け金具５をナット３に取付け固定し、しかして段板受け金具５の下板６の上面に段板１の端部を載置して下板６のネジ挿通孔８から段板１にネジ１２をねじ込むことによって段板１を左右のササラ桁２，２間に固定する。【選択図】図５
2009250005.tif 000002
【特許請求の範囲】
【請求項１】
複数段に配置される段板を左右の金属製ササラ桁によって両側から挟むように固定してなる階段において、
ナットと、下板の一側端側上面に立板を垂設し且つ下板の他側端側にネジ挿通孔を設け尚且つ立板にボルト挿通孔を設けてなる段板受け金具とを備え、ナットを各ササラ桁の内側面の段板取付箇所に固着し、少なくとも、段板受け金具の下板の一側端面をササラ桁の内側面に当接させ且つ立板の外側面をナットの内側面に当接させるか、又は下板の一側端側上面をナットの下端面に当接させ且つ立板の外側面をナットの内側面に当接させた状態で、立板のボルト挿通孔からナットのネジ孔にボルトをねじ込むことにより段板受け金具をナットに取付け固定し、しかして段板受け金具の下板の上面に段板の端部を載置して下板のネジ挿通孔から段板にネジをねじ込むことにより段板を左右のササラ桁間に固定するようにしてなる階段。
【請求項２】
段板の下面側両端部には、ナット、このナットにボルトで固定される段板受け金具の立板及びこの立板の内側面に突出するボルト頭部分を受け入れるための凹段部と、段板受け金具の下板を受け入れるための凹段部とを設けて、段板受け金具の下板下面が段板の下面と面一になるようにした請求項１に記載の階段。
【請求項３】
各段板の下面に防火用鉄板を配置し、この鉄板の両端部を夫々、段板下面側と段板受け金具の下板との間に挟んだ状態で、下板のネジ挿通孔から防火用鉄板のネジ挿通孔を通してネジを段板にねじ込むことにより、段板を左右のササラ桁間に固定するようにしてなる請求項１に記載の階段。
【請求項４】
段板の下面側両端部には、ナット、このナットにボルトで固定される段板受け金具の立板及びこの立板の内側面に突出するボルト頭部分を受け入れるための凹段部と、段板受け金具の下板と防火用鉄板の端部との重合部分を受け入れる凹段部とを設けると共に、前記両重合部分受入用凹段部の間に防火用鉄板を受け入れる鉄板受入用凹段部を設けて、段板受け金具の下板下面が段板の下面及び防火用鉄板の下面と面一になるようにした請求項３に記載の階段。
【請求項５】
段板は木製の段板からなり、この木製段板の下面側両端部には、段板受け金具の下板のネジ挿通孔からねじ込まれるネジをねじ込むための鬼目ナットを埋め込んでなる請求項１〜４の何れかに記載の階段。
【発明の詳細な説明】
【技術分野】
【０００１】
本発明は、複数段に配置される段板を左右の金属製ササラ桁により両側から挟むように固定して形成される階段に関するものである。
【背景技術】
【０００２】
従来この種の階段として、特許公報等の具体的な公知文献を挙げることはできないが、従来の階段では、各段板を挟んでその左右両側に配置されるササラ桁側から段板の端面にボルトをねじ込んで段板を固定するようにしたものがある。
【発明の開示】
【発明が解決しようとする課題】
【０００３】
上記のような階段構造によれば、ササラ桁の外側面に多数のボルト頭が露呈するため、外観が損なわれることになり、また左右両ササラ桁と段板とをあらかじめ組み付けてから、その組付体を所定の場所に設置しなければならないため、その設置作業に非常な手間と労力を必要としていた。
【０００４】
本発明は、上記の課題に鑑み、外観を損なうことがなく、シースルー階段として有効であり、また現場での設置作業が容易で、構造的にも堅固な階段を提供することを目的としている。
【課題を解決するための手段】
【０００５】
上記課題を解決するための手段を、後述する実施形態の参照符号を付して説明すると、請求項１に係る発明は、複数段に配置される段板１…を左右の金属製ササラ桁２，２によって両側から挟むように固定してなる階段において、ナット３と、下板６の一側端側上面６ｏに立板７を垂設し且つ下板６の他側端側にネジ挿通孔８を設け尚且つ立板７にボルト挿通孔９を設けてなる段板受け金具５とを備え、ナット３を各ササラ桁２の内側面２ａの段板取付箇所に固着し、少なくとも、段板受け金具５の下板６の一側端面６ａをササラ桁２の内側面２ａに当接させ且つ立板７の外側面７ａをナット３の内側面３ｂに当接させるか、下板６の一側端側上面６ｏをナット３の下端面３ａに当接させ且つ立板７の外側面７ａをナット３の内側面３ｂに当接させた状態で、立板７のボルト挿通孔９からナット３のネジ孔４にボルト１０をねじ込むことにより段板受け金具５をナット３に取付け固定し、しかして段板受け金具５の下板６の上面に段板１の端部を載置して下板６のネジ挿通孔８から段板１にネジ１２をねじ込むことにより段板１を左右のササラ桁２，２間に固定するようにしてなることを特徴とする。尚、この請求項１中の「少なくとも」とは、下板６の一側端面６ａをササラ桁２の内側面２ａに当接させ且つ立板７の外側面７ａをナット３の内側面３ｂに当接させ尚且つ下板６の一側端側上面６ｏをナット３の下端面３ａに当接させる状態のうち、下板６の一側端面６ａをササラ桁２の内側面２ａに当接させ且つ立板７の外側面７ａをナット３の内側面３ｂに当接させた状態であるか、又は下板６の一側端側上面６ｏをナット３の下端面３ａに当接させ且つ立板７の外側面７ａをナット３の内側面３ｂに当接させた状態であればよいことを示唆するものである。
【０００６】
請求項２は、請求項１に記載の階段において、段板１の下面側両端部には、ナット３、このナット３にボルト１０で固定される段板受け金具５の立板７及びこの立板７の内側面に突出するボルト頭部分１０ｏを受け入れるための凹段部１４と、段板受け金具５の下板６を受け入れるための凹段部１３とを設けて、段板受け金具５の下板下面６ｂが段板１の下面１ａと面一になるようにしたことを特徴とする。
【０００７】
請求項３は、請求項１に記載の階段において、各段板１の下面１ａに防火用鉄板１５を配置し、この鉄板１５の両端部１５ａ，１５ａを夫々、段板下面１ａ側と段板受け金具５の下板６との間に挟んだ状態で、下板６のネジ挿通孔８から防火用鉄板１５のネジ挿通孔１８を通してネジ１２を段板１にねじ込むことにより、段板１を左右のササラ桁２，２間に固定するようにしてなることを特徴とする。
【０００８】
請求項４は、請求項３に記載の階段において、段板１の下面１ａ側両端部には、ナット３、このナット３にボルト１０で固定される段板受け金具５の立板７及びこの立板７の内側面に突出するボルト頭１０ｏ部分を受け入れるための凹段部２０と、段板受け金具５の下板６と防火用鉄板１５の端部１５ａとの重合部分６，１５ａを受け入れる凹段部１９とを設けると共に、前記両重合部分受入用凹段部１９，１９の間に防火用鉄板１５の中間部１５ｂを受け入れる鉄板受入用凹段部２１を設けて、段板受け金具５の下板下面６ｂが段板１の下面１ａ及び防火用鉄板１５の下面と面一になるようにしたことを特徴とする。
【０００９】
請求項５は、請求項１〜４の何れかに記載の階段において、段板１は木製の段板１からなり、この木製段板１の下面側両端部には、段板受け金具５の下板６のネジ挿通孔８からねじ込まれるネジ１２をねじ込むための鬼目ナット１１を埋め込んでなることを特徴とする。
【発明の効果】
【００１０】
上記解決手段による発明の効果を、後述する実施形態の参照符号を付して説明すると、請求項１に係る発明によれば、従来の階段のようにササラ桁の外側面にボルト頭が露呈しないため、外観を損なわれることがない。また、この発明では、左右両ササラ桁２，２を所定の階段設置位置に取り付けた後に、両ササラ桁２，２間に段板１を横架できるため、作業が容易で、施工能率が良好となる。
【００１１】
更に、この発明の階段では、少なくとも、段板受け金具５の下板６の一側端面６ａをササラ桁２の内側面２ａに当接させ且つ立板７の外側面７ａをナット３の内側面３ｂに当接させるか、又は下板６の一側端側上面６ｏをナット３の下端面３ａに当接させ且つ立板７の外側面７ａをナット３の内側面３ｂに当接させているから、段板１に荷重がかかった時に段板１の両端部にある段板受け金具５，５の回転が抑制され、したがって段板１における撓みが極力抑制される。
【００１２】
請求項２に係る発明によると、段板受け金具５の下板下面６ｂが段板１の下面１ａと面一になるようにしたから、各段板下面１ａの両端部に段板受け金具５を取り付けているのが目立たず、外観を損なうことがなく、またこの場合に段板受け金具５の下板下面６ｂを段板１の色と同色に着色すれば、階段の段板１を下から見上げた時に違和感がなくなり、外観上の体裁、見栄えが良好で、シースルー階段としてきわめて有効である。
【００１３】
請求項３に係る発明によれば、段板１が木製の場合、段板１の下面に防火用鉄板１５を取り付けておけば、万が一の火災により段板１が消失するようなことがあっても、防火用鉄板１５がそのまま残るから、階段を緊急避難用階段として使用することができる。
【００１４】
請求項４に係る発明によれば、段板１の下面１ａ側には両端部に夫々凹段部１９，２０を設けると共に、その中間部に鉄板受入用凹段部２１を設けて、段板受け金具５の下板下面６ｂを段板１の下面１ａ及び防火用鉄板１５の下面と面一にすることにより、外観上の体裁、見栄えが良好で、シースルー階段として有効である。
【００１５】
請求項５に係る発明のように、段板１が木製の段板１からなり、この木製段板１の下面側両端部に、段板受け金具５の下板６のネジ挿通孔８からねじ込まれるネジ１２をねじ込むための鬼目ナット１１を埋め込むことによって、外周に設けられた鬼目突起が木部である段板１に食い込むので、緩み難くなる。
【発明を実施するための最良の形態】
【００１６】
以下に本発明の好適な一実施形態を図面に基づいて説明すると、図１は本発明に係る階段の一部（一段目部分）を示す正面図、図２は図１のＸ−Ｘ線断面図、図３は図１の矢印Ｙで示す部分の一部断面拡大図、図４は段板の端部を上下引っ繰り返した状態で示す斜視図、図５の(a) 〜(c) は階段の組付順序を示す説明図である。また、図６の(a) はササラ桁を内側から見た正面図、(b) は側面図であり、図７の(a) はナットの正面図、(b) は平面図、(c) は側面図であり、図８の(a) は段板受け金具の正面図、(b) は平面図、(c) は側面図である。ここに示す階段は、複数段に配置される段板１…を左右のササラ桁２，２によって両側から挟むように取り付け固定してなるものである。
【００１７】
各段板１は、木材によって形成されたもので、その木材としては、集成材を使用する。この集成材は、断面寸法の小さい板材を接着剤で再構成して作られ、ムク材に比べ、構造的に約１．５倍の強度を有する。この集成材からなる段板１の板厚は、例えば３６ｍｍとされる。
【００１８】
各ササラ桁２は、図６の(a) に示すように、階段を設置する水平な床Ｆに対し所定の傾斜角度を有するように形成されたもので、板厚が例えば９ｍｍの鋼板からなり、上端部には踊り場用桁部２２が水平に延設されている。そして各ササラ桁２の内側面には、図６の(a) に示すように横長矩形状のナット３が所定間隔おきに夫々水平に取り付け固定されている。図６において、２３はササラ桁２の下端部に取り付けられた床側取付プレート、２４は踊り場用桁部２２の先端部に突設された壁側取付プレートである。
【００１９】
ナット３は、図７の(a) 〜(c) に示すように、ササラ桁２を形成する鋼板と同じ板厚（例えば９ｍｍ）を有する横長矩形状の鋼板材で形成された板ナットからなるもので、その両端部側にネジ孔４，４が設けられている。尚、ナット３は、少なくとも２つのネジ孔４を有し、また板厚が少なくとも１０ｍｍ前後の横長矩形状鋼板からなるものが好ましい。また、この実施形態のナット３は、板ナットからなるものであるが、板ナットに限らず、普通の六角ナットを使用してもよく、その場合には、複数の六角ナットを使用し、各六角ナットの下端面が水平に位置するように各ササラ桁２の内側面に固着すればよい。
【００２０】
図８の(a) 〜(c) は段板受け金具５を示したもので、この段板受け金具５は、下板６の一側端側上面に立板７を垂直に立ち上がるように溶接して（溶接部をＷで示す）固着したもので、下板６の他側端側には２つの皿形のネジ挿通孔８，８が設けられ、立板７にはナット３のネジ孔４，４に対応する位置にネジ挿通孔９，９が設けられている。この段板受け金具５を形成する下板６及び立板７は、夫々ササラ桁２を形成する鋼板より薄い板厚（例えば４．５ｍｍ）を有する鋼板からなる。図８において、６ａは下板６の一側端面、６ｂは下板６の下面、６ｃは下板６の他側端面、６ｏは下板６の上面を夫々示し、またＷは溶接部を示す。
【００２１】
階段の組み立てにあたっては、先ず、図５の(a) 及び図６の(a) に示すように、左右両ササラ桁２，２の内側面の段板取付箇所にナット３を夫々溶接によって水平に固着し、それから左右両ササラ桁２，２の各ナット３に対して段板受け金具５を図５の(b) に示すようにボルト１０によって取り付け固定する。尚、図５の(a) において、Ｗは溶接部を示す。
【００２２】
各ナット３に段板受け金具５を取り付けるには、図５の(a) ，(b) から分かるように、段板受け金具５の下板６の一側端面６ａをササラ桁２の内側面２ａに当接させると共に、下板６の一側端側上面６ｏをナット３の下端面３ａに当接させ、立板７の外側面７ａをナット３の内側面３ｂに当接させた状態で、立板７に設けたネジ挿通孔９からナット３の各ネジ孔４にボルト１０をねじ込んで締め付けることにより、段板受け金具５をナット３に取付け固定し、図５の(b) に示す状態とする。このようにすることにより、段板１に荷重がかかった時に、段板１の両端部にある段板受け金具５，５の回転が抑制され、したがって段板１における撓みが極力抑制される。尚、段板受け金具５の取り付けにあたっては、段板受け金具５の下板６の一側端面６ａをササラ桁２の内側面２ａに当接させ且つ立板７の外側面７ａをナット３の内側面３ｂに当接させた状態で段板受け金具５をナット３で固定すれば、下板６の一側端側上面６ｏとナット３の下端面３ａとの間に隙間があってもよいし、あるいは下板６の一側端側上面６ｏをナット３の下端面３ａに当接させ且つ立板７の外側面７ａをナット３の内側面３ｂに当接させた状態で段板受け金具５をナット３で固定すれば、下板６の一側端面６ａとササラ桁２の内側面２ａとの間に隙間があってもよく、何れの場合も段板受け金具５の回転が抑制され、段板１の撓みが抑制される。
【００２３】
上記のように各ササラ桁２の各ナット３に対して段板受け金具５を取り付けたならば、左右両ササラ桁２，２を所定の間隔（段板１の長さに実質的に相当する間隔）で階段設置箇所に固定する。このササラ桁２を固定するにあたっては、各ササラ桁２の下端部に設けてある床側取付プレート２３を床Ｆにネジ２５（図２参照）で取り付け固定すると共に、上端部に設けてある壁側取付プレート２４を建物室内の壁側に夫々ネジ具（図示省略）で取り付け固定する。
【００２４】
こうして左右両ササラ桁２，２を所定の間隔で階段設置箇所に設固定した後、両ササラ桁２，２の左右に対向する段板受け金具５，５の下板６，６上に段板１の左右両端部を載置し、そして各段板受け金具５の下板６のネジ挿通孔８から、段板１内部に埋め込んだナット１１にネジ１２をねじ込むことにより、各段板１を左右のササラ桁２，２間に固定する。この場合、段板１の内部に埋め込むナット１１としては鬼目ナットを使用する。この鬼目ナット１１は、図３及び図５に示すように、外周に設けられた鋸歯形の鬼目突起が木部である段板１に食い込むので、緩み難い。
【００２５】
図３、図４及び図５の(b) ，(c) から分かるように、各段板１の下面１ａ側にはその両端部に夫々、ナット３、このナット３にボルト１０で固定される段板受け金具５の立板７及びこの立板７の内側面に突出するボルト頭部分１０ｏを受け入れるための凹段部１４と、段板受け金具５の下板６を受け入れるための凹段部１３とを設けて、段板受け金具５の下板下面６ｂが段板１の下面１ａと面一になるようにしている。
【００２６】
このように段板受け金具５の下板下面６ｂが段板１下面１ａと面一となるようにすれば、各段板下面１ａの両端部に段板受け金具５を取り付けているのが目立たなくなって、外観を損なうことがなく、またこの場合に段板受け金具５の下板下面６ｂを木製段板１の地色と同じ色に着色することによって、階段の段板１を下から見上げた時に違和感がなくなり、外観上の体裁、見栄えが良好で、シースルー階段としてきわめて有効である。
【００２７】
上記のように構成される階段によれば、段板１を固定する段板受け金具５の下板６の一側端面６ａがササラ桁２の内側面２ａに当接すると共に、下板６の一側端側上面６ｏがナット３の下端面３ａに当接し、尚且つ立板７の外側面７ａがナット３の内側面３ｂに当接しているから、段板１に荷重がかかった時に段板１の両端部にある段板受け金具５，５の回転が抑制され、したがって段板１における撓みが極力抑制されることになる。
【００２８】
図９は各段板１の下面に防火用鉄板を取り付けた階段の実施形態を示す。即ち、各木製段板１の下面に防火用鉄板１５を配置し、防火用鉄板１５の両端部１５ａ，１５ａを夫々、段板下面１ａ側と段板受け金具５の下板６との間に挟んだ状態で、下板６のネジ挿通孔８から防火用鉄板１５の端部１５ａのネジ挿通孔１８を通してネジ１２を段板１内部の鬼目ナット１１にねじ込むことによって、段板１を左右のササラ桁２，２間に固定するようにしたもので、ナット３に対する段板受け金具５の取付状態については図５の(a) 〜(c) で説明した先の実施形態と同様である。この防火用鉄板１５は、図９から分かるように、両端部１５ａ，１５ａが屈曲段部１５ｏ，１５ｏを介して中間部１５ｂよりも当該鉄板１５の板厚分だけ一段高くなるように形成されている。
【００２９】
図１０は、防火用鉄板１５及び段板１を上下引っ繰り返した状態で示す斜視図である。この図１０と図９から分かるように、木製段板１の下面１ａ側両端部には、ナット３、このナット３にボルト１０によって固定される段板受け金具５の立板７及びこの立板７の内側面に突出するボルト頭１０ｏ部分を受け入れるための凹段部１９と、段板受け金具５の下板６と防火用鉄板１５の端部１５ａとの重合部分６，１５ａを受け入れる凹段部２０とを設けると共に、前記両重合部分受入用凹段部２０，２０の間に防火用鉄板１５の中間部１５ｂを受け入れる鉄板受入用凹段部２１を設けることによって、段板受け金具５の下板下面６ｂが段板１の下面１ａ及び防火用鉄板１５の中間部１５ｂの下面と面一になるようにしたものである。
【００３０】
上記のように木製段板１の下面に防火用鉄板１５を取り付けた階段にあっては、万が一の火災により段板１が消失するようなことがあっても、防火用鉄板１５がそのまま残るから、階段を緊急避難用階段として使用することができる。
【００３１】
また、段板１の下面１ａ側には両端部に夫々凹段部１９，２０を設けると共に、その中間部に鉄板受入用凹段部２１を設けて、段板受け金具５の下板下面６ｂを段板１の下面１ａ及び防火用鉄板１５の下面と面一にすることにより、外観上の体裁及び見栄えが良好で、シースルー階段としてきわめて有効である。
【００３２】
以上の実施形態では、ササラ桁２が鋼板材、つまり板状体からなるものについて説明したが、ササラ桁２は、板状体からなるものに限らず、角筒状体からなるものでもよい。
【図面の簡単な説明】
【００３３】
【図１】本発明に係る階段の一部（一段目部分）を示す正面図である。
【図２】図１のＸ−Ｘ線断面図である。
【図３】図１の矢印Ｙで示す部分の一部断面拡大図である。
【図４】段板の端部を上下引っ繰り返した状態で示す斜視図である。
【図５】(a) 〜(c) は階段の組付順序を示す説明図である。
【図６】(a) はササラ桁を内側から見た正面図、(b) は側面図である。
【図７】(a) はナットの正面図、(b) は平面図、(c) は側面図である。
【図８】(a) は段板受け金具の正面図、(b) は平面図、(c) は(b) の矢印Ｚから見た側面図である。
【図９】本発明に係る階段の他の実施形態を示す断面図である。
【図１０】防火鉄板及び段板を上下引っ繰り返した状態で示す斜視図である。
【符号の説明】
【００３４】
１            段板
２            ササラ桁
３            ナット
４            ネジ孔
５            段板受け金具
６            下板
７            立板
８            ネジ挿通孔
９            ボルト挿通孔
１０          ボルト
１１          鬼目ナット
【図１】
2009250005.tif 000003
【図２】
2009250005.tif 000004
【図３】
2009250005.tif 000005
【図４】
2009250005.tif 000006
【図５】
2009250005.tif 000007
【図６】
2009250005.tif 000008
【図７】
2009250005.tif 000009
【図８】
2009250005.tif 000010
【図９】
2009250005.tif 000011
【図１０】
2009250005.tif 000012